(57)【要約】【課題】ネック仕上げ部とは無関係に、標準の機械設備を使用できるようにするボトル缶の提供。【解決手段】ボトル形状の缶の形態をした再密閉可能な金属容器は、金属ネック部品（１０）が継ぎ合わせられたスチール又はアルミニウムの従来型缶本体（１）を有するのがよい。プラスチックのスリーブ（２０）が、ネック部品に被さり、スリーブ内部の戻止め（２１）が、このスリーブを継ぎ目上にクリップ留めしている。スリーブの上縁部は、ネック部品の上縁部に設けられたカール部（１５）によって定位置に固定されている。別個のネック部品を用いて継ぎ目をスリーブの下に隠すことにより、缶本体について従来の寸法及び材料ゲージを使用することができる。【選択図】図１
2007514617.tif 000002
【特許請求の範囲】
【請求項１】
再密閉可能な容器であって、
ベース（４）及び側壁（２）を備えた金属缶本体（１）を有し、
前記缶本体の自由端部に継ぎ合わされた金属ネック部品（１０）を有し、該ネック部品は、全体として切頭円錐形の肩部分（１１）及び円筒形部分（１２）を有し、
前記金属ネック部品（１０）に被さり、前記ネック部品（１０）と前記缶本体（１）との間の継ぎ目（１６）を覆うスリーブ（２０）を有する容器において、
前記スリーブは、プラスチック材料で作られていて、前記ネック部品（１０）の前記円筒形部分（１２）に被さり、前記容器の再密閉性を実現可能にするようねじ山（２５）が設けられている、容器。
【請求項２】
前記スリーブ（２０）は、前記スリーブを前記継ぎ目（１６）上に固定する戻止め（２１）を有する、請求項１記載の容器。
【請求項３】
前記ネック部品（１０）は、前記切頭円錐形部分と前記円筒形部分との間に支持領域（１４）を有する、請求項１又は２記載の容器。
【発明の詳細な説明】
【技術分野】
【０００１】
本発明は、再密閉可能な金属容器、例えば、スチール（鋼）又はアルミニウムの缶に関する。特に、本発明は、飲み物を包装するボトル形状の缶に関するが、これには限定されない。
【背景技術】
【０００２】
例えば特開２００３−１６５５３９号公報のような特許文献において、いわゆる「ボトル缶」が提案されており、この特開２００３−１６５５３９号公報では、容器本体がベースを形成するようこの本体に継ぎ合わされた缶端部によって一端のところで密閉され、反対側の端部のところで肩を形成するよう内方にネック付けされ又はくびれている。缶本体の一部は、肩の自由縁部から遠ざかって延びて、ねじクロージャにより密閉されるようねじ切りされた円筒形部分内へ延びている。
【０００３】
ボトル缶に関する別の提案は、金属ネックをねじ切りするのではなく、缶を再密閉するねじ山を備えたプラスチックコレットを用いている。
【０００４】
米国特許第２，８６４，５２９号明細書は、コーン又は隆起頂部を備えた金属容器用のオーバーキャップを記載しており、このオーバーキャップは、コーンを容器の本体に接合する継ぎ目を覆っている。独国実用新案第２９９８０１３７号明細書は、ネック部品と缶本体との間の継ぎ目を覆うプラスチック部品を記載している。特開平１０−１６７３５６号公報は、容器本体に取外し自在に取り付けられたキャップを固定する肩カバーを記載している。
【０００５】
これら現在における提案は、理論的には使えるが、実際問題としては、多くの使用上の問題がある。再密閉のためにネック仕上げ部をもたらすのに十分な容器本体のネック付けでは、最高５６種類のネック付け段階が必要になる場合がある。これは、その材料の性質に鑑みて、容器が従来厚さ（例えば、０．０８ｍｍ）のスチールで作られている場合、通常は可能ではない。ネック付け力に耐えるようにするためには、スチールは、従来のものよりも厚いことが必要であり、したがって使用にあたり経済性が低い。さらに、許容可能な金属露出は、アルミニウムよりもスチールの方が低い。
【０００６】
非標準型の寸法の缶本体を用いることが必要な場合がある。というのは、プラスチックねじ山付きネックを備えた３５５ｍｌの標準容量の缶は、生産ラインにとって高さがあり過ぎる。
【発明の開示】
【発明が解決しようとする課題】
【０００７】
本発明は、これらの問題を解決して、所望のネック仕上げ部とは無関係に、標準の機械設備を使用できるようにするボトル缶を提供しようとするものである。
【課題を解決するための手段】
【０００８】
本発明によれば、再密閉可能な容器であって、ベース及び側壁を備えた金属缶本体と、前記缶本体の自由端部に継ぎ合わされていて、全体として切頭円錐形の肩部分及び円筒形部分を備えた金属ネック部品と、前記金属ネック部品に被さり、前記ネック部品と前記缶本体との間の継ぎ目を覆うスリーブとを有する容器において、前記スリーブは、プラスチック材料で作られていて、前記ネック部品の前記円筒形部分に被さり、前記容器の再密閉性を実現可能にするようねじ山が設けられていることを特徴とする容器が提供される。
【０００９】
本明細書で用いる「全体として切頭円錐形」は、正確に切頭円錐形の形状と容器の断面積を減少させる形状、例えば、段付き肩部分の両方を意味するものであることは、注目されるべきである。
【００１０】
缶本体は代表的には、通常の飲み物用缶製造ラインを用いて大量生産できる標準型飲料用缶本体である。或る範囲のネック部品及びプラスチックスリーブにより互いに異なるネック仕上げ部を提供することができる。缶本体を、薄い厚さ、例えば、アルミニウムについては０．１ｍｍ、スチールについては０．０８ｍｍのスチール又はアルミニウムで作るのがよい。ネック部品は、これらよりも厚い材料のものであるのがよく、例えば、容器内の製品に悪影響を及ぼす場合のあるガスの通過を阻止するバリヤ特性を備えるのがよい。
【００１１】
本発明の好ましい特徴によれば、スリーブは、スリーブを継ぎ目上に固定する戻止めを有する。この戻止めは、水の流入を阻止するシールとなる。理想的には、スリーブの開口端を、ネック部品に設けられたカード部によって保持するのがよい。一般に、缶本体は、ネック部品が継ぎ合わされた端部のところに狭いネックイン領域を有する。スリーブは、缶本体の側壁に嵌着して水の流入に抵抗するよう缶本体のこの領域に被さるのがよい。
【００１２】
スリーブは、従来型プラスチックボトルの肩形状に一致するような輪郭形状のものであるのがよい。この実施形態では、ネック部品は、切頭円錐形部分と円錐形部分との間に支持領域を有する。この支持領域は、第１の円筒形部分よりも直径の大きな第２の円筒形部分であるのがよく、したがって、第１の円筒形部分は、プラスチックスリーブのねじ山付き部分を支持し、第２の部分は、肩形状に合った輪郭形状のスリーブの部分を支持するようになっている。
【００１３】
次に、図面を参照して本発明の好ましい実施形態を説明するが、これは例示に過ぎない。
【００１４】
図１は、缶本体１、ネック部品１０及びスリーブ２０を有する容器を示している。この缶は、上端部３のところがネック付けされた側壁２及びこれと一体形のドーム状ベース４を備えた代表的な飲み物用缶本体である。缶本体は、厚さが約０．２５ｍｍ〜０．３５ｍｍの板金、代表的には、スチール又はアルミニウムで作られ、製造中、壁の厚さが減少する。
【００１５】
ネック部品１０は、全体として切頭円錐形部分１１及び円筒形部分１２を備えた金属支持体から成る。図２に最もよく示されているように、第２の円筒形部分１３が、肩１４により第１の円筒形部分に接合されている。ネック部品は、プラスチックスリーブ２０を定位置に保持するその上端部のところにフランジ、又は理想的にはカール部１５で終端している。かくして、スリーブも又、ネック部品の切断縁部を隠している。ネック部品は、その下端部のところが、二重継ぎ目１６により缶本体１に固定されている。
【００１６】
容器がボアシールを備えたプラスチッククローッジャにより密閉された場合、ボアシールは、切断縁部の保護作用を別途もたらすことになる。この場合、カール部１５の切断縁部は、スリーブ２０とクロージャのボアシールとの間に捕捉される。
【００１７】
スリーブ２０は、継ぎ目１６上にクリップ留めされるフック形の戻留め２１を備えた湾曲シース２３を有している。環状域２２が、継ぎ目上におけるスリーブの別個の配設場所を提供している。かくして、図１及び図２のスリーブは、戻止め２１及びネック部品フランジ１５によって定位置に固定される。この実施形態では、スリーブ２０は、ねじ山２５が設けられた円筒形上方部分２４を有している。上方部分は、ねじ山２５の下に、取り扱い目的のためのネック支持リング２６を有している。
【００１８】
美感上の理由で、スリーブは、缶本体の側壁に連続的に移行するように形作られたものであるのがよい。スリーブは、湾曲した形状のための余剰の支持作用がネック部品の肩１４によって提供されるように薄いプラスチックで作られたものであるのがよい。
【図面の簡単な説明】
【００１９】
【図１】本発明の容器の第１の実施形態の概略断面側面図である。
【図２】図１の容器の肩及びネック領域の拡大断面側面図である。
【図１】
2007514617.tif 000003
【図２】
2007514617.tif 000004
【国際調査報告】
2007514617.tif 000005
2007514617.tif 000006
2007514617.tif 000007